(57)【要約】【課題】クリップの方向が一方向である点と液晶画面の表示も一方向である点である。【解決手段】リモコン本体１の方向を変える（すなわち、リモコン本体１をクリップ５に対して回動させる）ことで、クリップ受部５ａが回転検知釦８から離脱し、まずリモコン本体１がクリップ部５に対して向きが変わったことを検知する。クリップ５が回転検知釦８から離脱されたことによって、回転検知回路１６から表示制御回路１３に対してクリップ５が回転したという信号が送られる。信号を受けた表示制御回路１３は、表示する文字情報の表示方向を変えて表示ディスプレイ１４に表示する。【選択図】図６
2006287411.tif 000002
【特許請求の範囲】
【請求項１】
携帯音響機器の動作を制御しかつその状態表示を行うべく前記携帯音響機器を操作するための操作部と、携帯音響機器の動作状態等を表示する表示部と、本装置に回動自在に設けかつ他部材を挟持可能なクリップ部とを備えたリモートコントール装置であって、前記クリップ部を本装置に対して所定角度回転させた時、前記表示部に表示する情報の表示方向を変更することを特徴としたリモートコントロール装置。
【請求項２】
音声信号及び文字情報が記録された記録メディアと、前記記録メディアに記録された情報を読み出す情報読み出し手段と、前記情報読み出し手段で読み出した情報のうち文字情報を抽出する文字情報抽出手段と、前記文字情報抽出手段によって抽出された文字情報の表示の制御をする表示制御手段と、前記表示制御手段によって制御された文字情報を表示する表示手段と、本体が回転したことを検知する回転検知手段によって、クリップ部が本体に対して回転したとき、前記表示手段における表示内容を変更できることを特徴とする請求項１に記載のリモートコントロール装置。
【発明の詳細な説明】
【技術分野】
【０００１】
本発明は、携帯用音響機器などを操作するリモートコントロール装置に関するものである。
【背景技術】
【０００２】
携帯用音響機器などの操作において、リモートコントロール装置（以下、リモコンと称す）は、携帯用音響機器本体を取り出し直接操作する必要をなくし、またリモートコントローラー本体（以下、リモコン本体と称す）に付随した液晶画面などを見ながら容易に状態などを知ることが出来る利点があるので、遠隔操作用として実用されている。
【０００３】
実用のリモコン本体は携帯用音響機器本体とヘッドフォンの間にコードで繋いだワイヤードリモコンが一般的である。リモコン本体はクリップのようになっていて、衣服やかばんに留めることが出来る。
【特許文献１】特開平１０−３１３４２９号公報
【発明の開示】
【発明が解決しようとする課題】
【０００４】
しかしながら上記のような構成では、クリップがリモコン本体に対して固定されているため、クリップを用いて衣服などに装着した場合、必然とリモコンの向きが決まってしまい、装着の自由度が低いものとなる。特にリモコンを鉛直方向に対して横向きにして留めた場合、リモコン本体近傍のヘッドフォンコードに無理な力がかかってしまい、ヘッドフォンコード内の信号線が断線してしまう可能性があるという欠点がある。
【０００５】
また、付随した液晶画面は、常に同じ方向から見ることを想定されており、衣服などに留めた場合向きが違ってしまうことがある。
【課題を解決するための手段】
【０００６】
上記課題を解決するために本発明のリモコンは、携帯音響機器の動作を制御しかつその状態表示を行うべく前記携帯音響機器を操作するための操作部と、携帯音響機器の動作状態等を表示する表示部と、本装置に回動自在に設けかつ他部材を挟持可能なクリップ部とを備えたリモートコントール装置であって、前記クリップ部を本装置に対して所定角度回転させた時、前記表示部に表示する情報の表示方向を変更するものである。
【発明の効果】
【０００７】
本発明によれば、衣服等に留めたときリモコンや表示部を使いやすい位置、また見えやすいように変えることができるという有利な効果が得られる。
【発明を実施するための最良の形態】
【０００８】
本発明の請求項１及び２記載のリモートコントロール装置は、携帯音響機器の動作を制御しかつその状態表示を行うべく前記携帯音響機器を操作するための操作部と、携帯音響機器の動作状態等を表示する表示部と、本装置に回動自在に設けかつ他部材を挟持可能なクリップ部とを備えたリモートコントール装置であって、前記クリップ部を本装置に対して所定角度回転させた時、前記表示部に表示する情報の表示方向を変更するものである。
【０００９】
以下、本発明のリモコンの具体的な実施の形態について、図面を参照しながら説明する。
【００１０】
（実施の形態１）
図１は本発明の実施の形態のリモコンの外観図、図２はリモコンと携帯用音響機器との接続の例を示した説明図、図３は同じくそのクリップ部を回転させた状態を示す説明図、図４は表示デバイスにおいて表示内容の変更を示す説明図、図５は回転検知用ボタンの外観図である。
【００１１】
図において、９は少なくとも音楽や音声を再生可能な機能を有する携帯音響機器であり、内部に音楽や音声信号などを記憶可能な記録媒体を備えている。記録媒体は内蔵型でもよいし、着脱型でも構わない。内蔵型の場合は、機器内部に半導体メモリを備え、デジタル信号となった音声信号などを音声ファイルとして記憶させ、再生時はその音声ファイルを再生処理するものであり、例えばシリコンオーディオプレーヤと呼ばれるものがそれに相当する。また、着脱型の場合は、前述の内蔵型と同様、デジタル信号となった音声信号などを、ミニディスクやコンパクトディスクなどの記録媒体に記録し、その記録媒体を携帯音響機器９に装着し音声信号を再生するものである。
【００１２】
１は携帯音響機器９に接続して携帯音響機器９を使用者が操作可能なリモコン本体で、携帯音響機器９に接続自在の接続コード３に接続されたものである。
【００１３】
２はリモコン本体１に備えられ、携帯音響機器９の動作状態などの各種情報を表示するディスプレイである。本実施の形態では、液晶ディスプレイなどを想定しているが、表示デバイスについてはこれに限定されるものではない。また、ディスプレイ２に表示する情報としては、携帯音響機器９の動作状態（再生や早送りなど）や、再生中の音声や音楽のタイトルであり、これらの情報を文字や図形などで表示する。
【００１４】
４はリモコン本体１に備えられ、複数の押釦からなる操作釦であり、使用者が操作するものである。操作釦４の種類としては、再生釦や早送り釦など各機能を割り当てたものとなっている。また、本実施の形態では、「釦」としているが、形態としては釦に限るものではなく、ダイヤルやレバーなどのように他の形態からなる操作手段であっても構わない。
【００１５】
５はリモコン本体１を衣服等に留めるためにリモコン本体１に設けられたクリップであり、本実施の形態における具体構成としては、支軸により回動自在に配されたクリップ支持部５ａと、クリップ支持部５ａを回動自在に支持したクリップ受部５ｂとから構成されている。クリップ支持部５ａは、一端近傍においてクリップ受部５ｂに対して所定の間隙を介して回動自在に支持されており、他端近傍がクリップ受部５ｂに当接可能に構成されている。そして、クリップ支持部５ａは、コイルバネなどの弾性手段によって、常時クリップ支持部５ａの他端がクリップ受部５ｂに、所定の挟持力を備えて当接するように付勢している。すなわち、クリップ支持部５ａとクリップ受部５ｂとで衣服などを挟持することができるようになっている。そしてクリップ５により衣服等にリモコンを留めた状態で、ディスプレイ２を見ながら操作釦４を操作して、再生、停止、選曲など各種の操作を行うことができるように構成されている。
【００１６】
６はクリップ５をリモコン本体１に対して回動自在に支持した回動軸で、クリップ５は回動軸６を中心に回動自在となっている。なお、本実施の形態におけるクリップ５のリモコン本体１に対する回動角度は、図３（ａ）に示すようにリモコン本体１とクリップ５とが全体的に重なる第１の位置（角度０度）と、図３（ｂ）に示すように第１の位置から約９０度回動した第２の位置としているが、１８０度や２７０度、あるいは任意の角度に回動可能な構成としてもよい。また、第１及び第２の位置においては、クリップ５にクリック感を与えるような構成としてもよく、そうすることによりクリップ５の回動角度を機構的に保持することができる。
【００１７】
７は接続コード３の端部に設けられ音声を出力するイヤホンであり、使用者の耳に装着することで、内部に設けられた小型スピーカから出力される音声を聴くことができる。
【００１８】
８はリモコン本体１に設けられクリップ５の回動状態を機構的に検知する回転検知部で、本実施の形態としては押しボタン構成（図１の矢印Ａ方向に動作）となっており、クリップ５が第１の位置にある時に、クリップ５によって押圧操作されるようになっており、クリップ５が第２の位置へ回動した時に押圧状態が解除される。よって、回転検知部８はリモコン本体１上における、クリップ５によって押圧可能な位置に設けられる。また、回転検知部８には、クリップ５の回動動作に伴って容易かつ確実にクリップ５によって押圧操作されるように、図５に示すようにテーパを設けてもよい。
【００１９】
従来のリモコンとは異なり、クリップ５を開閉自在に受けるクリップ受部５ｂとクリップ支持部５ａとが、リモコン本体１に固定されておらず、リモコン本体１と回転軸６を介して結合されているため、図２に示すようにクリップ５を衣服等に留めたままリモコン本体のみを回転可能とする構成となっている。
リモコン本体１とクリップ５が重なっている状態のときは、回転検知釦８はクリップ受部５（ａ）に押されているが、クリップ５が回転、すなわちリモコン本体１とクリップ５が重なっていないときはクリップ受部５（ａ）が回転検知釦８から離れる構造となっている。
【００２０】
以上のように構成されたリモコンについて、以下その動作について説明する。
【００２１】
まず図２（ａ）のように衣服に留めたとき接続コード３がイヤホン７からリモコン本体１まで略一直線にならず（すなわち、イヤホン７と携帯音響機器９とを結ぶ線に対してリモコン本体１が横向きになる）、接続コード３やリモコン本体１が他の部位へ引っかかったり、イヤホン７がリモコン本体１側へ引っ張られたりしてしまう。
【００２２】
この状態から図２（ｂ）のようにリモコン本体１を矢印B方向へ約９０度回転させると、リモコン本体１とイヤホン７が略一直線になるため、前述の引っかかりや、イヤホンを引っ張ることが無くなる。この時、クリップ５は横向きのままである。
【００２３】
また、リモコン本体１が回転した際、表示ディスプレイの表示内容を変更する動作について説明する。図６は回転検知釦の状態が変化してから、表示ディスプレイの表示内容を変更するまでのブロック図で、図７は表示ディスプレイの表示内容変更の例である。
【００２４】
図６において、１０は音楽データおよび曲順やタイトルなどの文字情報が収められている記録メディアであり、例えば携帯音響機器９がポータブルミニディスクプレーヤであった場合は、ミニディスクに相当する。１１は記録メディア１０に記録された音楽データや文字情報などを読み取る情報読み出し手段である情報読み出し回路であり、例えば記録メディア１０がミニディスクの場合は、光ピックアップや信号処理回路などが本回路に相当する。１２は記録メディア１０に収められている文字情報を抽出する文字情報抽出手段である文字情報抽出回路である。１３は文字情報抽出回路１２によって抽出された文字情報をどのようにまたどのようなタイミングで表示させるかを制御する表示制御手段である表示制御回路である。１４は表示制御回路１３から送られてくる文字情報を表示ディスプレイに表示させる表示手段であるディスプレイである。
【００２５】
当初はリモコン本体１とクリップ５が重なっており、回転検知釦８が押されているため、表示ディスプレイ１４の表示内容は通常の向き（図７（ａ））となっている。記録メディア１０を再生したとき、情報読み出し回路１１によって音楽情報や文字情報を読み出し、文字情報については文字情報抽出回路１２によって抽出される。文字情報抽出回路１２が表示制御回路１３に対して文字情報を表示するよう命令を行い、表示制御回路１３は表示ディスプレイ１４に対して文字情報を表示するよう制御する。これにより表示ディスプレイ１４には、文字情報が表示される。なお、本実施の形態の表示ディスプレイ１４の表示状態としては、図７に示すようにマトリクス形式のディスプレイからなる。
【００２６】
次に、リモコン本体１の方向を変える（すなわち、リモコン本体１をクリップ５に対して回動させる）ことで、クリップ受部５ａが回転検知釦８から離脱し、まずリモコン本体１がクリップ部５に対して向きが変わったことを検知する。クリップ５が回転検知釦８から離脱されたことによって、回転検知回路１６から表示制御回路１３に対してクリップ５が回転したという信号が送られる。信号を受けた表示制御回路１３は、例えば「Ｔ」という文字を通常図７（ａ）のように表示させている状態から、図７（ｂ）のように表示するようなモードに移動する処理を行う。処理を受けてモードの変更が生じたら、図７（ｂ）のように表示ディスプレイ１４に文字が表示される。
【産業上の利用可能性】
【００２７】
本発明にかかるリモートコントローラーは、携帯音響機器に限らずクリップによって衣服などに留めているものにも適用できる。
【図面の簡単な説明】
【００２８】
【図１】本発明の実施の形態１に於けるリモートコントローラーの外観例を示した模式図
【図２】本発明の実施の形態１に於けるリモートコントローラーの実施方法を示した模式図
【図３】本発明の実施の形態１に於けるリモートコントローラーの実施方法を示した模式図
【図４】本発明の実施の形態１に於ける液晶表示切替を示した模式図
【図５】本発明の実施の形態１に於けるボタン８の模式図
【図６】本発明の実施の形態１における表示切り替え機能実現のフローチャート
【図７】本発明の実施の形態１における表示切り替え例を示した図
【符号の説明】
【００２９】
１    リモコン本体
２    表示ディスプレイ
３    接続コード
４    操作釦
５ａ    回転式クリップ支持部
５ｂ    回転式クリップ受部
６    回転軸
７    イヤホン
８    回転検知用ボタン
９    携帯音響機器
１０    記録メディア
１１    情報読み出し回路
１２    文字情報抽出回路
１３    表示制御回路
１４    表示ディスプレイ
１５    リモコン本体
１６    回転検知用回路
１７    ディスプレイ変更例
【図１】
2006287411.tif 000003
【図２】
2006287411.tif 000004
【図３】
2006287411.tif 000005
【図４】
2006287411.tif 000006
【図５】
2006287411.tif 000007
【図６】
2006287411.tif 000008
【図７】
2006287411.tif 000009